(57)【要約】【課題】  確実に対象者の在席状況を確認・登録する。【解決手段】  電力線１０には、携帯電話機１２のクレードル１４が複数、接続する。電力線１０にはまた、電力線通信（ＰＬＣ）モデム１６を介して、対象者の在席を管理する統括管理装置１８が接続する。携帯電話機１２をクレードル１４上に載置すると、充電回路２０は、置かれた携帯電話機１２の内蔵二次電池を充電し、通信回路２４は、携帯電話機１２の露出する通信端子と接続し、携帯電話機１２と通信可能になる。充電回路２０は、携帯電話機１２の載置を検出すると、端末特定情報読取り装置２６に在席を通知する。この在席通知に従い、端末特定情報読取り装置２６は、携帯電話機１２から端末特定情報を読み取り、読み取った端末特定情報を在席フラグと共に統括管理装置１８に送信する。【選択図】  図１
2007079654.tif 000002
【特許請求の範囲】
【請求項１】
在席を管理する管理装置（１８）と、
載置された携帯電話機（１２，１１２）の内蔵電池を充電し、当該携帯電話機の端末特定情報を読み取って当該管理装置（１８）に送信するクレードル（１４，１１４）
とを具備することを特徴とする在席管理システム。
【請求項２】
当該管理装置（１８）が、第１の電力線通信モデム（１６）を介して電力線（１０）に接続し、当該クレードル（１４）が、当該電力線（１０）に接続する第２の電力線通信モデム（２２）を具備することを特徴とする請求項１に記載の在席管理システム。
【請求項３】
当該クレードル（１４）が、
当該携帯電話機（１２，１１２）の載置を検出する端末検知手段（２０，１２４）と、
当該端末検知手段（２０，１２４）の端末検知出力に従い、当該携帯電話機（１２，１１２）の端末特定情報を読み取り、当該管理装置（１８）に当該端末特性情報を在席フラグ付きで送信し、当該端末検知手段（２０，１２４）の当該携帯電話機（１２，１１２）が当該クレードル（１４，１１４）から外されたことの検知出力に従い、当該管理装置（１８）に当該端末特性情報を離席フラグ付きで送信する端末特定情報読取り装置（２６，１２６）
とを具備することを特徴とする請求項１又は２に記載の在席管理システム。
【請求項４】
当該端末特定情報読取り装置（２６）は、当該携帯電話機（１２）の通信端子を介して、当該携帯電話機（１２，１１２）から端末特定情報を読み取ることを特徴とする請求項１乃至３の何れか１項に記載の在席管理システム。
【請求項５】
当該端末特定情報読取り装置は、当該携帯電話機（１１２）に装備されたＲＦＩＤタグの記憶情報を読み取るＲＦＩＤタグリーダ（１２６）であることを特徴とする請求項１乃至３の何れか１項に記載の在席管理システム。
【発明の詳細な説明】
【技術分野】
【０００１】
本発明は、在席管理システムに関する。
【背景技術】
【０００２】
従来の在席管理システムでは、登録者がネットワークに接続されたコンピュータ等を操作して、本人の在席情等をサーバに登録する方法が一般的であった。さらに、在席状況を自動化する方法として、ビデオカメラ、センサ又は無線端末を用いる方法もある。ユーザの在席情報をサーバで一括管理することが、特許文献１に記載されている。人感センサ等を用いて、在席を感知する方法が、特許文献２に記載されている。
【０００３】
携帯端末の充電台に電力線通信モデムを内蔵し、電力線通信で携帯電話にデータを送受信するシステムが、特許文献３に記載されている。
【特許文献１】特開２００３−２８１３３６号公報
【特許文献２】特開２００３−００４８６３号公報
【特許文献３】特開２００３−１６９００４号公報
【発明の開示】
【発明が解決しようとする課題】
【０００４】
登録者の在席／不在をネットワーク上で登録する方法は、作業者に負担をかけるだけでなく、操作のし忘れということもあり、煩わしいだけでなく、信頼性に欠ける。
【０００５】
また、ビデオカメラやセンサ等を用いる方法は、在席管理専用の設備として相当数のビデオカメラやセンサを用意する必要が有り、導入にはコストが問題となる。
【０００６】
本発明は、確実に対象者の在席状況を確認・登録できる安価な在席管理システムを提示することを目的とする。
【課題を解決するための手段】
【０００７】
本発明に係る在席管理システムは、在席を管理する管理装置と、載置された携帯電話機の内蔵電池を充電し、当該携帯電話機の端末特定情報を読み取って当該管理装置に送信するクレードルとを具備することを特徴とする。
【発明の効果】
【０００８】
本発明によれば、対象者は、自己の保有する携帯電話機をクレードルに載置するだけでよくなり、確実に対象者の在席状況を確認・登録できる。
【発明を実施するための最良の形態】
【０００９】
以下、図面を参照して、本発明の実施例を詳細に説明する。
【実施例１】
【００１０】
図１は、本発明の一実施例の概略構成ブロック図を示す。電力線１０には、携帯電話機１２のクレードル１４が複数、接続する。各クレードル１４は、在席管理の対象者の机上に置かれる。電力線１０にはまた、電力線通信（ＰＬＣ）モデム１６を介して、対象者の在席を管理する統括管理装置１８が接続する。統括管理装置１８には、管理内容を表示する表示装置１９が接続する。
【００１１】
クレードル１４は、クレードル１４上に置かれた携帯電話機１２の内蔵二次電池を充電する充電回路２０，ＰＬＣモデム２２及び携帯電話機１２と通信する通信回路２４を具備する。本実施例のクレードル１４は更に、携帯電話機１２を特定する端末特定情報（電話番号、利用者氏名又は端末ＩＤ等）を通信回路２４を介して携帯電話機１２から読み取る端末特定情報読取り装置２６を具備する。
【００１２】
携帯電話機１２をクレードル１４上に載置すると、充電回路２０は、置かれた携帯電話機１２の内蔵二次電池を充電する。また、この状態で、通信回路２４は、携帯電話機１２の露出する通信端子と接続し、携帯電話機１２と通信可能になる。
【００１３】
充電回路２０は、出力電圧又は出力電流をモニタすることで、携帯電話機１２の載置を検出できる。充電回路２０は、携帯電話機１２の載置を検出すると、端末特定情報読取り装置２６に在席を通知する。この在席通知に従い、端末特定情報読取り装置２６は、通信回路２４を介して携帯電話機１２から端末特定情報を読み取り、読み取った端末特定情報を在席を示す在席フラグと共に、ＰＬＣモデム２２，電力線１０，ＰＬＣモデム１６を介して統括管理装置１８に送信する。
【００１４】
載置された携帯電話機１２がクレードル１４から取り外されると、充電回路２０は、端末特定情報読取り装置２６に離席を通知する。離席の通知に対し、端末特定情報読取り装置２６は、対象者が室外に出るほどの所定時間、例えば、５分程度待って、端末特定情報を離席を示す離席フラグ付きで、ＰＬＣモデム２２，電力線１０，ＰＬＣモデム１６を介して統括管理装置１８に送信する。
【００１５】
統括管理装置１８は、各クレードル１４からの端末特定情報と在席フラグ／離席フラグとその時刻を、データベース化して記憶する。統括管理装置１８に対象者の氏名と端末特定情報との対応を示すテーブルを設けておくことで、各対象者の氏名と在席／離席の時間経過をデータベースとして記憶でき、各対象者の氏名と在席／離席の状況を表示装置１９の画面上に表示できる。図２は、在席状況の表示例を示す。勿論、統括管理装置１８は、これらの管理情報を図示しない通信回路を介して遠隔地に送信できる。
【００１６】
携帯電話機１２がクレードル１４上に置かれたことを検知する手段として、充電回路２０の充電動作を利用したが、別に機械スイッチにより携帯電話機１２の設置を検知しても良い。
【００１７】
通信回路２４が有線で携帯電話機１２と通信するが、携帯電話機１２が無線通信機能を持っている場合、クレードル１４には通信回路２４の代わりに、携帯電話機１２の無線で通信可能な無線通信装置を設けても良い。
【実施例２】
【００１８】
図３は、ＲＦＩＤタグで端末特定情報を携帯電話機からクレードルに伝送する実施例の概略構成図を示す。
【００１９】
この実施例では、携帯電話機１１２には、ＲＦＩＤタグ１１３が貼り付けられている。ＲＦＩＤタグ１１３の記憶情報は、例えば、ユニークな文字数字列、携帯電話機１１２の電話番号又は携帯電話機１１２の利用者氏名等である。ＲＦＩＤタグ１１３の記憶情報がユニークな文字数字列である場合、統括管理装置１８には、ＲＦＩＤタグ１１３の記憶情報を対象者氏名に変換するテーブルを予め用意しておく。
【００２０】
電力線１０に接続するクレードル１１４は、クレードル１１４上に置かれた携帯電話機１１２の内蔵二次電池を充電する充電回路１２０，ＰＬＣモデム１２２、クレードル１１４上に携帯電話機１１２が置かれたことを検知する端末検知装置１２４、及び、ＲＦＩＤタグ１１３の記憶情報を読み取るＲＦＩＤタグリーダ１２６を具備する。端末検知装置１２４は、例えば、クレードル１１４の携帯電話機１１２を置く溝内に設置される機械スイッチからなる。
【００２１】
利用者が保有する携帯電話機１１２を自分の又は共用の机に設置されたクレードル１１４に載置すると、端末検知回路１２４が、それを検知して、ＲＦＩＤタグリーダ１２６にタグ読取りを指示する。ＲＦＩＤタグリーダ１２６は、この指示に従い、周辺のＲＦＩＤタグ、具体的には、携帯電話機１１２に貼付されたＲＦＩＤタグ１１３の記憶情報を読み取り、読み取ったＲＦＩＤ１１３の記憶情報と在席フラグを、ＰＬＣモデム１２２、電力線１０及びＰＬＣモデム１６を介して統括管理装置１８に送信する。これにより、統括管理装置１８は、ＲＦＩＤタグリーダ１１３の記憶情報で特定される利用者の在席を示すように、在席管理データベースを更新する。
【００２２】
また、携帯電話機１１２がクレードル１１４から外されたとき、端末検知回路１２４が、それを検知して、ＲＦＩＤタグリーダ１２６に離席の通知を指示する。この指示に従い、ＲＦＩＤタグリーダ１２６は、ＲＦＩＤタグ１１３の記憶情報に離席を示すフラグを付けて、ＰＬＣモデム１２２、電力線１０及びＰＬＣモデム１６を介して統括管理装置１８に送信する。これにより、統括管理装置１８は、ＲＦＩＤタグリーダ１１３の記憶情報で特定される利用者の離席を示すように、在席管理データベースを更新する。
【００２３】
通話の際には、利用者は、クレードル１４から携帯電話機１２を離す。通話中は、統括管理装置１８は、クレードル１４からの通知に関わらず、在席と評価する。通話中か否かを検出する手段を別途、設け、通話中の場合には、クレードル１４からの離席の通知による在席状況データベースの更新を保留すれば良い。
【００２４】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００２５】
【図１】本発明の第１実施例の概略構成図を示す。
【図２】在席状況の表示画面例である。
【図３】本発明の第２実施例の携帯電話機とクレードルの概略構成図である。
【符号の説明】
【００２６】
１０：電力線
１２：携帯電話機
１４：クレードル
１６：電力線通信（ＰＬＣ）モデム
１８：統括管理装置
１９：表示装置
２０：充電回路
２２：ＰＬＣモデム
２４：通信回路
２６：端末特定情報読取り装置
１１２：携帯電話機
１１３：ＲＦＩＤタグ
１１４：クレードル
１１６：充電回路
１２２：ＰＬＣモデム
１２４：端末検知装置
１２６：ＲＦＩＤタグリーダ
【図１】
2007079654.tif 000003
【図２】
2007079654.tif 000004
【図３】
2007079654.tif 000005